(57)【要約】【課題】容器本体の凸部とキャップの凹部などを化粧品容器のパッケージデザインに応用してデザイン性を向上させた化粧品容器を提供する。【解決手段】  化粧品を収容する容器本体と、容器本体に着脱可能に装着されるキャップと、を有し、キャップは、筒状部と、筒状部に連続する天面と、筒状部の天面と反対側の開口部とを有し、キャップの開口部は、縦方向及び／又は横方向、又はその組み合わせの方向に対する斜め方向からの斜視上に目的形態を表示するように形成されている化粧品容器。【選択図】図１
2019092711.tif 000002
【特許請求の範囲】
【請求項１】
化粧品の収容に用いる化粧品容器であって、
化粧品を収容する容器本体と、
前記容器本体に着脱可能に装着されるキャップと、を有し、
前記キャップは、筒状部と、筒状部に連続する天面と、筒状部の天面と反対側の開口部とを有し、
前記キャップの開口部は、縦方向及び／又は横方向、又はその組み合わせの方向に対する斜め方向からの斜視上に目的形態を表示するように形成されている化粧品容器。
【請求項２】
前記キャップの開口部は縦方向及び／又は横方向に少なくとも１つの凹部又は凸部を有し、前記凹部又は凸部によって前記目的形態を表示するように形成される請求項１に記載の化粧品容器。
【請求項３】
前記キャップの開口部は縦方向及び／又は横方向に少なくとも１つの凹部又は凸部を有し、前記容器本体の当接面は前記容器本体の凹部又は凸部と相対する凸部又は凹部を備え、
前記キャップの前記凹部又は凸部は、前記容器本体の前記凸部又は凹部に着脱可能に嵌合する請求項１又は請求項２に記載の化粧品容器。
【請求項４】
前記キャップの前記開口部の色彩と前記天面を囲む前記キャップの内周面の色彩とが異なるものである請求項１乃至請求項３のいずれか１項に記載の化粧品容器。
【請求項５】
前記キャップの天面は前記開口部よりも断面占有面積が小さく形成され、前記キャップの筒状部は前記開口部から前記天面にかけて窄まらせた形状である請求項１乃至請求項４のいずれか１項に記載の化粧品容器。
【請求項６】
前記キャップの筒状部は、前記開口部から前記天面にかけて湾曲して窄まらせた形状である請求項１乃至請求項５のいずれか１項に記載の化粧品容器。
【請求項７】
前記化粧品容器は、前記容器本体と前記キャップとの周面に周方向に突出している凸部を有し、前記容器本体と前記キャップとを装着時に前記キャップの前記天面から前記容器本体の底面にかけて前記凸部を基点とする稜線を有する請求項１乃至請求項６のいずれか１項に記載の化粧品容器。
【請求項８】
前記キャップの前記天面の内側は、前記開口部の前記目的形態に対応する形態を表示している表示部を備えている請求項１乃至請求項７のいずれか１項に記載の化粧品容器。
【発明の詳細な説明】
【技術分野】
【０００１】
本発明は、化粧品容器に関する。
【背景技術】
【０００２】
口紅、リップクリーム、コンシーラー、ファンデーション、ミスト化粧水などの各種の化粧品を収容する化粧品容器は、外観に装飾を施したり、化粧品の収容方法を異ならせたりするなど、様々な形態で提供されている。
【０００３】
近年、ＳＮＳ（ソーシャル  ネットワーキング  サービス）や口コミサイトと呼ばれる消費者間での商品情報の共有サイトなどの普及により、消費者によるパッケージデザインや使用性への要求が激化している。化粧品容器は、消費者が化粧品を購入する際に、化粧品本体と同様、もしくはそれ以上に購入の際の重要なポイントとなる傾向がある。
【０００４】
特許文献１は図７に示すように、口紅などの液体化粧料を充填して使用するディスペンサ機構組立品に関する発明であって、アクチュエータ１４０とキャップ１６０とその他の部品により構成され、充填された液体化粧料の漏出を減少させることが開示されている。当該ディスペンサ機構組立品のアクチュエータ１４０とキャップ１６０は着脱可能に形成される必要があり、図７にはアクチュエータ１４０に凸部を有し、キャップ１６０に当該凸部に対応する凹部によって着脱可能に形成される構成が開示されている。
【先行技術文献】
【特許文献】
【０００５】
【特許文献１】特表２０１４−５３３２２３号公報
【発明の概要】
【発明が解決しようとする課題】
【０００６】
特許文献１に開示されるディスペンサ機構組立品のアクチュエータ１４０の凸部と、キャップ１６０の凹部は着脱にのみ使用され、当該凹凸部自身がパッケージデザインに影響を与えるには至っていない。
【０００７】
そこで、本発明の目的は容器本体の凸部とキャップの凹部などを化粧品容器のパッケージデザインに応用してデザイン性を向上させた化粧品容器を提供することにある。
【課題を解決するための手段】
【０００８】
本発明における化粧品容器は、化粧品を収容する容器本体と、容器本体に着脱可能に装着されるキャップと、を有し、キャップは、筒状部と、筒状部に連続する天面と、筒状部の天面と反対側の開口部とを有し、キャップの開口部は、縦方向及び／又は横方向、又はその組み合わせの方向に対する斜め方向からの斜視上に目的形態を表示するように形成したものである。
【発明の効果】
【０００９】
本発明によれば、キャップの凹部などを化粧品容器のパッケージデザインに応用して、キャップの開口部を縦方向及び／又は横方向、又はその組み合わせの方向に対する斜め方向からの視線上に目的形態を表示するように構成しているため、キャップを容器本体に固定するためのキャップの物理構造である凹部などをパッケージデザインに取り込むことでキャップのデザイン性を向上させることができ、化粧品容器の意匠に貢献でき、化粧品容器の使用者に所有することの満足感を付与することができる。
【図面の簡単な説明】
【００１０】
【図１】本発明の実施形態に係る化粧品容器１の外観形態を示す図であり、（ａ）は化粧品容器１の平面図、（ｂ）は化粧品容器１の正面図、（ｃ）は化粧品容器１の側面図、（ｄ）は化粧品容器１の背面図、（ｅ）は化粧品容器１の底面図である。
【図２】本発明の実施形態に係る化粧品容器１の容器本体２からキャップ３を取り外した状態を示す図であり、（ａ）は容器本体２の正面図、（ｂ）は容器本体２の側面図、（ｃ）はキャップ３の天面３８を下にした正面図である。
【図３】本発明の実施形態に係る化粧品容器１を容器本体２からキャップ３を着脱する方向を示した図である。
【図４】本発明の実施形態に係るキャップ３を示す図であり、（ａ）はキャップ３とＸＹＺ軸を示す図であり、（ｂ）は（ａ）よりもＹ軸方向に傾けた（回転させた）キャップ３を示す図であり、（ｃ）は（ｂ）よりもＹ軸方向に傾けた（回転させた）キャップ３を示す図である。
【図５】本発明の実施形態に係るキャップ３のキャップ内側３ｂとキャップ外側３ａ及び開口部３６の口縁の彩色を異ならせたことを示す図である。
【図６】本発明の実施形態に係る化粧品容器１のキャップ３の一部を破断し天面３８の内側を示す図であり、（ａ）はキャップ３の天面３８に連続する筒状部３１を一部破断した図、（ｂ）はキャップ３の筒状部３１を破断した図である。
【図７】従来技術を示した図である。
【発明を実施するための形態】
【００１１】
以下、図面を参照して、本発明による化粧品の収容に用いる化粧品容器を実施するための形態について説明する。なお、本発明による化粧品容器は、口紅、リップクリーム、コンシーラー、ファンデーション、ミスト化粧水などの各種の化粧品を収容する化粧品容器を示すが、実施形態では、口紅を収容した場合の化粧品容器を例にとって説明を行う。
【００１２】
［実施形態１］
図１乃至図４、及び図６を参照して、本発明による化粧品容器の実施形態１を説明する。実施形態１では、キャップの開口部が表示する目的形態をハート型形態とした場合を例に説明する。
【００１３】
図１は、化粧品容器の外観形態を示した図である。図１（ａ）は化粧品容器１の平面図、（ｂ）は化粧品容器１の正面図、（ｃ）は化粧品容器１の側面図、（ｄ）は化粧品容器１の背面図、（ｅ）は化粧品容器１の底面図である。
【００１４】
図１（ｂ）乃至（ｄ）に示すように、化粧品容器１は容器本体２及びキャップ３から構成され、容器本体２及びキャップ３は着脱可能に形成され、図１には、キャップ３を容器本体２に装着させた状態の化粧品容器１が示されている。容器本体２には口紅４が収容される。キャップ３は筒状部３１と、筒状部３１に連続する天面３８と、筒状部３１の天面３８と反対側の開口部３６とを有して筒状に形成され、容器本体２が収容する口紅４を保護するために、容器本体２に被せて装着することが可能な空洞を有する。キャップ３の開口部とは、容器本体２に被せて装着する際の容器本体２への開口面のことであり、図１の開口部３６を示す。
【００１５】
容器本体２は、キャップ３を装着した状態では、図１（ｂ）乃至（ｄ）に示すように、持ち手２１ａのみ露出し、口紅４を含むその他は、キャップ３に覆われて、化粧品容器１の外観は、キャップ３及び容器本体２の持ち手２１ａから構成される。なお、キャップ３の装着状態におけるキャップ３の開口部３６の口縁部に当接するリング状の面を容器本体２の当接面とし、図１の当接面２６に示す。
【００１６】
本発明における化粧品容器１の容器本体２及びキャップ３は熱可塑性樹脂などの樹脂素材や、金属素材、またはその組み合わせなど、いずれの素材を使用してもよいが、本実施形態においては、化粧品容器１として一連の外観として構成するために、キャップ３及び容器本体２の持ち手２１ａは、共に樹脂素材から構成されている。
【００１７】
図１（ａ）乃至（ｅ）に示すように、化粧品容器１の平面及び底面から見た形態は、円形に近い形態であり、正面に一か所の周方向外側に突出している凸部を有することで、雫型の形態をなしている。キャップ３の天面３８は水平ではなく筒状部３１の凸部３３ｂに向かって緩やかに湾曲して傾斜し、平面及び底面から見た形状は凸部３３ｂを頂点とした雫型形態をなしている。容器本体２の底面２８は水平に形成され、凸部２３ｂを頂点とした雫型形態をなしている。キャップ３の天面３８及び容器本体２の底面２８は、凸部３３ｂ及び凸部２３ｂを同方向に有し、キャップ３と容器本体２を装着した状態において化粧品容器１の頂部から底部にかけて、凸部３３ｂ及び２３ｂを基点とした一連の稜線３２及び２２を形成している。
【００１８】
容器本体２の持ち手２１ａの当接面２６及びキャップ３の開口部３６は、容器本体２及びキャップ３を着脱可能に嵌合させるように構成される。持ち手２１ａの当接面２６は、化粧品容器１の平面及び底面と同様に、円形に近い形態であり、容器本体２の正面、すなわち、凸部２３ｂと同方向に一か所凸部２３ａを有することで雫型の形態をなしている。
【００１９】
キャップ３の開口部３６も容器本体２の当接面２６と同様に、円形に近い形態であり正面、すなわち、凸部３３ｂと同方向に一か所凸部３３ａを有することで雫型の形態をなしている。さらには、図１（ｄ）及び図３に示すように、容器本体２の持ち手２１ａの背面、すなわち、凸部２３ａから１８０度方向には、当接面２６上に底面２８とは反対側に突出している凸部２４が形成され、キャップ３の背面、すなわち凸部３３ａから１８０度方向には、開口部３６上に天面３８側に窪んでいる凹部３４が形成され、凸部２４及び凹部３４は着脱可能に嵌合するよう形成されている。
【００２０】
図２は、化粧品容器１の容器本体２からキャップ３を取り外した状態を示した図である。図２（ａ）は容器本体２の正面図、（ｂ）は容器本体２の側面図、（ｃ）はキャップ３の天面３８を下にした正面図である。
【００２１】
図２の（ａ）及び（ｂ）に示すように、容器本体２は、持ち手２１ａ、支持筒部２１ｂ、繰出し部２１１及び口紅４から構成される。
【００２２】
支持筒部２１ｂは持ち手２１ａよりも断面占有面積は小さく形成され、キャップ留め部２７を有する。キャップ留め部２７は開口部３６からの挿入を阻害しない程度の小さい突起形状のものであり、このキャップ留め部２７に対応して、キャップ３は、図６（ｂ）に示すように内周面に凹み形状の本体留め部３７ａを有し、容器本体２にキャップ３を装着する際に、キャップ留め部２７が本体留め部３７ａによって係合することによって、縦方向にキャップ３を容易に取り外せないように固定させる。なお、容器本体２の縦方向とは、支持筒部２１の軸方向を意味する。キャップ留め部２７及び本体留め部３７ａは、係合するため同角度に同数必要となるが、本実施形態においては支持筒部２１ｂ及びキャップ３の各３ヶ所に１２０度間隔に位置するが、個数はこれに限定するものではない。
【００２３】
また、図６に示すように、キャップ３は本体留め部３７ａより天面３８寄りの箇所に、内周を窄まらせる境界として段差部３７ｂを有する。これにより、段差部３７ｂから天面３８の内周は、段差部３７ｂから開口部３６の内周よりも窄まらせた形状となる。キャップ３の本体留め部３７ａから段差部３７ｂまでの長さは、容器本体２の支持筒部２１ｂのキャップ留め部２７から繰出し部２１１との境界位置までの長さ以上であるものとする。
【００２４】
さらには、容器本体２の持ち手２１ａの背面に有する当接面２６上の凸部２４が、キャップ３の背面に有する開口部３６上の凹部３４と嵌合することで位置決めされ、キャップ３が回転しないように固定させる。繰出し部２１１は、口紅４を繰出すための繰出し機能を有し、その機構は汎用の口紅繰出し機構を採用しており、その詳細な説明は汎用の機構であるので省略する。
【００２５】
図２（ｃ）に示すように、キャップ３の開口部３６は凸部３３ａ、凹部３４を有し、開口部３６の周方向外側に突出している凸部３３ａは天面３８の周方向外側に突出している凸部３３ｂにかけて連続して隆起して稜線３２を形成する。開口部３６の凹部３４は、図１（ｄ）に示すように、天面３８側への窪みを有するものであり、凸部３３ａは周方向外側に突出した頂部を有するため、開口部３６を上とした平面からは天面３８側への窪みである凹部３４は視認されず周方向外側に突出する凸部３３ａのみ視認可能となり、雫型形態が表示される（図１（ｅ））。そして、凹部３４を背面、凸部３３ａを正面にして手前方向へ傾けた（図４（ａ）のＹ軸回転に図示。）場合には、凹部３４及び凸部３３ａ共に視認可能となり、開口部３６にハート型形態が表示される。
【００２６】
通常ハート型形態とは、上部に凹部、下部に凸部を有し、凹部と凸部を左右対称の湾曲した稜線が結ぶ形態のことを示す。本実施形態において、上部凹部を凹部３４、下部凸部を凸部３３ａとして視認可能となり、開口部３６を平面から視認する場合に円形に近い形態が、手前方向（図４（ａ）のＹ軸回転に図示。）へ傾けて（斜め方向の視線上において）湾曲した稜線となることでハート型形態を構成する稜線として視認可能となる。さらには、キャップ３の稜線３２によって、凸部３３ａが強調され、立体的なハート型形態として視認可能になる。
【００２７】
実施形態１によれば、キャップ３は容器本体２と、本体留め部３７ａ及びキャップ留め部２７、凹部３４及び凸部２４によって、位置決めされて嵌合する実用的な化粧品容器としての機能と、キャップ３の開口部３６のみでハート型形態を表示することが可能な高いデザイン性を実現した。
【００２８】
キャップ３の開口部３６は、凹部３４を背面、凸部３３ａを正面にして手前方向（図４（ａ）のＹ軸回転に図示。）へ傾けた場合にハート型形態が表示されるが、図４（ａ）に示すように手前方向へ傾ける角度が浅い場合には横長のハート型形態となり、図４（ｂ）及び（ｃ）に示すように、Ｙ軸回転の角度が深くなるにつれ花びらのようなハート型形態となる。ハート型形態と形容するものの、一律の形態ではなく、角度によって様々なハート型形態を表示することが可能であり、常に変化する形態を認めることが可能である。
【００２９】
上記、キャップ３の開口部３６を互いに直交するＸ、Ｙ、Ｚの３軸方向のうち、Ｙ軸方向へ回転させる例を記載したが、Ｘ軸方向やＺ軸方向へ回転させることでアシンメトリーなハート型形態を表示することが可能となる。また、目的形態をハート型形態以外の形態、例えば星型形態を表示する場合には、様々な３軸方向へ傾けることで多様な星型を視認することが可能となる。なお、キャップにおける横方向とは、Ｘ軸とＹ軸とを含む平面に平行する方向であり、キャップにおける縦方向とは、Ｘ軸とＹ軸とを含む平面に対し垂直方向、すなわちＺ軸方向のことを指す。
【００３０】
実施形態１によって、化粧品容器１の外観に外的な装飾を施すことのないシンプルな形態でありながら、キャップ３を取り外した際に開口部３６上にハート型形態を表示可能な構成とすることで、使用者の購入時には想像し得なかった驚きと興奮を使用時に提供することが可能となる。さらには、開口部３６の角度によって様々なハート型形態を認めることが可能であるために、使用者にとって飽きのこないデザインとなっている。
【００３１】
また、キャップ３の開口部３６自体が高いデザイン性を有し、外的な装飾を施すデザインでないため、安価に製造することが可能となる。キャップ３を熱可塑性樹脂などの樹脂素材で形成する場合に、射出成形の工程のみで製造が完了するため製造工程が短期であること、材料が単一の樹脂素材であること、から、製造コストが抑えられるという効果がある。
【００３２】
本実施形態１により、デザイン性と使用性を有し、さらには低コストで製造可能な化粧品容器を提供することが可能である。
【００３３】
［実施形態２］
実施形態１では、キャップ３の開口部３６を、凹部３４及び凸部３３ａによりハート型形態を表示する構成としたが、実施形態２では、キャップ３を彩色してハート型形態を強調する構成を、図５を参照して以下に説明する。
【００３４】
キャップ３はキャップ外側３ａ（外周面）とキャップ内側３ｂ（内周面）と開口部３６とその他から構成されるが、実施形態２では、図５に示すように、キャップ外側３ａ及び開口部３６の口縁を同一の色で形成し、キャップ内側３ｂをキャップ外側３ａ及び開口部３６の口縁と異なる色で形成する。
【００３５】
キャップ外側３ａ及び開口部３６の口縁と、キャップ内側３ｂはそれぞれいずれの色で彩色してもよいが、本実施形態では、キャップ外側３ａ及び開口部３６の口縁を黒色、キャップ内側３ｂを赤色で彩色するものとする。容器本体２においてもいずれの色で彩色してもよいが、本実施形態では容器本体２の持ち手２１ａ及び支持筒部２１ｂをキャップ外側３ａ及び開口部３６の口縁と同一の色彩である黒色で彩色するものとする。
【００３６】
開口部３６の口縁とキャップ外側３ａとを同一の色とすることで、キャップ３を容器本体２が装着状態である場合、外観からキャップ内側３ｂの色を認識することができず、外観上、化粧品容器１は一色で構成され、統一感を有することが可能となる。また、キャップ３を取り外した際に初めてキャップ内側３ｂの色が認識可能となることで、斜め方向からの視線上に目的形態を強調して表示することができ、キャップの開口部の形態及び彩色の組み合わせによりキャップの奥行方向での疑似的な３次元構造である遠近感を効果的に表出することができる。
【００３７】
実施形態２では、キャップ外側３ａ及び開口部３６の口縁を黒色に彩色し、キャップ内側３ｂを赤色に彩色しているため、黒色の輪郭の中に、赤色のハート型形態が表示され、漆器のような高級感を有することが可能となる。また、キャップ内側３ｂと同色の口紅化粧料を充填することで、汚れを目立ちにくくする使用性と、統一感を有することでデザイン性が向上する。
【００３８】
キャップ内側３ｂの色を異ならせる手法は、いずれの方法で行ってもよいが、例えば２色成形とした場合には、耐久性や高級感のある仕上がりが可能であり、接着作業などの後工程がないため低コストで製造することが可能である。
【００３９】
［実施形態３］
実施形態１では、キャップ３の開口部３６を、凹部３４及び凸部３３ａによりハート型形態に表示する構成としたが、実施形態３では、キャップ３の天面３８が開口部３６よりも小さく形成され、湾曲して窄まらせた形態とする構成を、図１、図４及び図５を参照して以下に説明する。
【００４０】
図１（ｂ）及び図５に示すように、キャップ３は、天面３８が開口部３６よりも小さく形成され、開口部３６から天面３８にかけて湾曲して窄まらせた形態で構成される。キャップ３は開口部３６を一番大きい直径とし、開口部３６から天面３８へ湾曲して窄まらせ、天面３８を一番小さい直径として形成する。開口部３６の直径をＳ１とし、天面３８の直径をＳ２とした場合に、図５に示すようにＳ１＞Ｓ２となる。
【００４１】
また、図１（ｂ）に示すように、容器本体２の持ち手２１ａは当接面２６を一番大きい直径とし、当接面２６から底面２８へ湾曲して窄まらせ、底面２８を一番小さい直径として形成する。
【００４２】
図１（ａ）に示すように、化粧品容器１は、平面上、雫型形態に形成される天面３８を有し、天面３８の外周に、一番直径の大きい開口部３６が視認可能となる。
【００４３】
実施形態３により、図５に示すように、開口部３６を上にして凹部３４を背面、凸部３３ａを正面にして手前方向（図４（ａ）のＹ軸回転に図示。）へ傾けてハート型形態を表示させた場合に、丸みを帯びたハート型形態へと変化する。手前方向（図４（ａ）のＹ軸回転に図示。）へ傾ける角度が浅い場合には、キャップ内側３ｂの表示面が少ないために、開口部３６から天面３８にかけて湾曲して窄まらせた形態の影響は少ないが、手前方向（図４（ａ）のＹ軸回転に図示。）へ傾ける角度が深くなるにつれ、キャップ内側３ｂの表示面は多くなり、開口部３６から天面３８への湾曲による丸みを帯びた奥行と陰影は深くなり、開口部３６は丸みを帯びた花びらのようなハート型形態となる。
【００４４】
以上のように、開口部３６から天面３８にかけて湾曲し窄まらせることで、キャップ３の開口部３６に目的形態を表示する際に、丸みを帯びた奥行と陰影による影響を与えることが可能となる。特に、本実施形態におけるハート型形態においては、ハート型形態が丸みを有する形態であるために、丸みを帯びた奥行や陰影によって元々のハート型形態が有する丸みが強調され、様々なハート型形態を提供することが可能となる。
【００４５】
［実施形態４］
実施形態１では、キャップ３の開口部３６を、凹部３４及び凸部３３ａによりハート型形態に表示する構成としたが、実施形態４では、キャップ３と容器本体２と口紅４の位置関係により使用性を向上させる構成を、図２及び図３を参照して以下に説明する。
【００４６】
図２（ａ）に示すように、容器本体２は、持ち手２１ａ、支持筒部２１ｂ、繰出し部２１１、口紅４から構成される。口紅４は、容器本体２の稜線２２を正面とした場合、口紅４の斜面４１が正面へ傾斜するように構成される。キャップ３を装着している場合には、図１（ｂ）に示すように、稜線３２が正面に位置するように構成される。
【００４７】
本実施形態において、容器本体２の繰出し部２１１は、口紅４を収容し、使用者が口紅４を使用する際に、繰出し部２１１を回転させることで、口紅４を繰出す用途に用いるものとする。繰出し方法には、繰出し部２１１の回転に伴って、口紅４も回転しながら繰出される構成と、口紅４は回転することなく繰出される構成と、様々存在するが、本実施形態においては口紅４が回転することなく繰出される繰出し部２１１を用いる。
【００４８】
なお、図２（ａ）では繰出し部２１１を回転させて口紅４を繰出した状態を示しているが、繰出し部２１１を全く回転させていない状態では、口紅４の使用状態に関わらず、口紅４は繰出し部２１１の内側に隠れている状態となり、側面からの視認は不可能な構成とする。
【００４９】
通常、容器本体２とキャップ３から構成される容器において、容器本体２からキャップ３を取り外す場合に、右手又は左手で容器本体２を持ち、左手又は右手でキャップ３を持って取り外す動作が行われる。図３に示すように、容器本体２からキャップ３は縦方向に着脱される。
【００５０】
実施形態４によれば、右手又は左手で容器本体２の稜線２２を正面に持ち、左手又は右手でキャップ３を持って取り外した場合に、右手又は左手に図２（ａ）の状態の容器本体２を有し、左手又は右手に図２（ｃ）の状態のキャップ３を有することとなる。
【００５１】
使用者は、図２（ａ）に示すように、口紅４の斜面４１が使用者側へ向かって傾斜しているために、使用者側で口紅４の向きを調整する必要が無く、繰出し部２１１を回転させて口紅４を繰出した後は、そのまま口へ持っていき、口紅を塗ることが可能となる。これにより、キャップ３を装着している状態で、口紅４の斜面４１の向きを把握することが可能であるために、使用者は迷うことなく使用時に適した正面位置を確定することができ、化粧品容器１の使用性が向上した。
【００５２】
また、キャップ３の取り外した状態が、図２（ｃ）の状態であり、凹部３４を上（奥）にして、凸部３３ａを下（手前）にしたキャップ３の開口部３６が最もハート型形態を視認され易くなる向きである。
【００５３】
従って、実施形態４の構成により、少ない手順で口紅４へ到達することが可能であると共に、ハート型形態を容易に視認することが可能となり、使用性及び視認性の二つを向上させる効果を得ることが可能となった。
【００５４】
［実施形態５］
実施形態３では、キャップ３の天面３８が開口部３６よりも小さく形成され、湾曲して窄まらせた形態とする構成を説明したが、実施形態５では、キャップ３の天面３８の内側に目的形態を表示する構成を、図６を参照して以下に説明する。
【００５５】
キャップ３の天面３８の内側に表示する目的形態はいずれでもよいが、実施形態５では、図６（ａ）及び（ｂ）に示すように、開口部３６と同様にハート型形態を表示する。また、目的形態は彩色や凹凸など、いずれの方法で表示させてもよく、本実施形態においてはハート型形態を凹部に彫刻して表示させることで、ハート型形態を視認可能とする。また、ハート型形態の凹部は、キャップ内側３ｂと同様に赤色に彩色して構成する。
【００５６】
キャップ３の天面３８の内側のハート型形態は、独立したハート型形態としてもよいし、キャップ３の開口部３６のある角度で表示するハート型形態と相似形に構成してもよい。
【００５７】
実施形態５によれば、キャップ３の天面３８の内側にハート型形態を表示することで、実施形態４に記載する容器本体２からキャップ３を取り外す場合の動作時に効果を奏する。右手又は左手で容器本体２を持ち、左手又は右手でキャップ３を持って取り外す場合に、使用者がキャップ３を平面から見た場合には天面３８の内側のハート型形態を視認することが可能となり、キャップ３を手前方向に傾けた場合には開口部３６上にハート型形態を視認することが可能となる。開口部３６上にハート型形態を表示させるためには、傾けることが必要であったが、天面３８の内側にハート型形態を表示させたことで、キャップ３の角度に関わらずハート型形態を視認することが可能となった。
【００５８】
また、天面３８の内側にハート型形態を表示させることにより、使用者へキャップ３への興味を促し、キャップ３及び容器本体２の着脱に使用される開口部３６の凹凸部にハート型形態を視認可能に誘導する効果が得られる。また、天面３８の内側のハート型形態と開口部３６のハート型形態を相似形とした場合には、天面３８と開口部３６に遠近感が生じ、単なる化粧品を保護するキャップではなく、ひとつのデザインを有する小物とも成り得て、化粧品をすべて消費した後も、キャップ３を棚に置いたりすることにより、オブジェとして再利用することも可能となる。さらには、該開口部に対してキャップの奥方向に離間した天面の形態と開口部との組み合わせに加えて、実施形態２の彩色を加えることで、疑似的な３次元構造による遠近感を効果的に表出することができる。
【００５９】
実施形態５では、天面３８の内側と開口部３６とで表示する目的形態をハート型形態としたが、異なる目的形態を表示させた場合にも天面３８の内側と開口部３６とを個々に視認することが可能となる。
【００６０】
以上の通り、従来の化粧品容器が有する凹凸部を新しいパッケージデザインに応用することでデザイン性を向上させた化粧品容器の提供が可能となった。
【００６１】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００６２】
１        化粧品容器
２        容器本体
３        キャップ
３ａ        キャップ外側
３ｂ        キャップ内側
４        口紅
２１ａ      持ち手
２１ｂ      支持筒部
２１１      繰出し部
２２，３２  稜線
２３ａ，３３ａ    凸部
２３ｂ，３３ｂ    凸部
２４        凸部
２６        当接面
２７        キャップ留め部
２８        底面
３１        筒状部
３４        凹部
３６        開口部
３７ａ      本体留め部
３７ｂ      段差部
３８        天面
４１        斜面
【図１】
2019092711.tif 000003
【図２】
2019092711.tif 000004
【図３】
2019092711.tif 000005
【図４】
2019092711.tif 000006
【図５】
2019092711.tif 000007
【図６】
2019092711.tif 000008
【図７】
2019092711.tif 000009